(57)【特許請求の範囲】
【請求項１】
外部噴出口と消火薬剤収納容器内とをつなぐ連通路を閉鎖するバルブを有し、さらに該バルブを押圧することにより該連通路を開放させるピストン部材を備えた消火装置用の起動機構において、該ピストンのシリンダ室内に加熱により発熱する非火薬剤を設け、該ピストン内に該ピストンの径方向へ突出するように付勢されたピンを設け、該非火薬剤の発熱によるシリンダ室内の空気の急膨張によって作動するピストンがバルブを押圧して上記連通路を開放した際に突出したピンが係合して、該ピストンの戻りを阻止する段部をシリンダ内壁に設けたことを特徴とする消火装置用起動機構。
【請求項２】
外部噴射口と消火薬剤収納容器内とを接続する連通路を内部に有するバルブケースと、該バルブケース内を上下動可能なピストンにより押し下げられた時に該連通路を開放するバルブとからなる消火装置用起動機構において、該ピストンのシリンダ室内に加熱により発熱する非火薬剤を設置し、該ピストン内に該ピストンの横方向に突出するように付勢されたピンを設け、該非火薬剤の発熱によるシリンダ室内の空気の急膨張によって作動するピストンが下降して該バルブを押し下げた際に突出する該ピンが係合して、該ピストンの戻りを阻止する段部をシリンダ内壁に設けたことを特徴とする消火装置用起動機構。
【請求項３】
非火薬剤をシリンダ室を密封するバルブケースの上蓋内に設けた請求項２記載の消火装置用起動機構。
【請求項４】
ピストン側面に非貫通の横穴を穿設し、内部にスプリングにより突出するように付勢されたピンを設けた請求項１又は２記載の消火装置用起動機構。
【請求項５】
請求項１〜４のいずれか１項記載の消火装置用起動機構を消火薬剤収納容器１台に対して２台以上設けてなる消火装置。
【請求項６】
消火薬剤収納容器の口金に、内部通路を有するヘッド部材を設け、該ヘッド部材に請求項１〜４のいずれか１項記載の消火装置用起動機構を２台以上設けてなる請求項５記載の消火装置。
【発明の詳細な説明】
【０００１】
【発明の属する技術分野】
本発明は消火器等の消火装置の遠隔起動用、自動起動用の作動機構と、そのような機構を用いた消火装置に関するものである。
【０００２】
【従来の技術】
消火装置、例えば所定場所に設置された加圧式の消火薬剤収納容器の上端部に固定されたバルブケースの外部噴射口に接続した導管を消火監視区域に導いてその先端に噴射ノズルを設けたものにおいては、該装置の起動時に該容器内と該外部噴射口とを連通する該バルブケース内の連通路を開放して消火薬剤を該噴射ノズルから噴射する構成である。そしてこのような装置の起動方法としては、例えば上記連通路を閉塞しているバルブをバネやソレノイドを利用して押圧移動させるものの他にイニシエーターと呼ばれる火薬でガス発生剤に作用してバルブケース内のピストンを作動させてバルブを押圧移動させるものもある。
【０００３】
従来例としてイニシエーターを利用した消火剤噴射の起動機構の一例を示すと、図３に示すように加圧された消火薬剤の収納容器（１）の上端に消火薬剤の噴射を制御するバルブ（２）を備えたバルブケース（３）を取り付ける。このバルブ（２）は常時はバルブ用スプリング（４）によって上方へ押し上げられて該容器（１）の薬剤噴出口（５）を閉鎖している。またこのバルブ（２）の上方のシリンダ室（６）内に上下動自在なピストン（７）を配置し、さらに該ピストン（７）上方のシリンダ上部室（８）に連通する空間を形成したイニシエーター受（９）の該空間内にアジ化ソーダ（ＮａＮ3 ）などのガス発生剤（１０）とこれに作用するイニシエーター（１１）を設けた。なお図中（１２）はシリンダ上部室（８）を密封するための上蓋である。
【０００４】
このような起動機構によれば、消火薬剤を外部に噴出しようとする際には電気駆動によりイニシエーター（１１）を作動させてガス発生剤（１０）により例えば窒素ガスを急激に発生させ、該ガスの膨張力で薬剤収納容器（１）内の圧力及びバルブ用スプリング（４）の弾性力に抗してピストン（７）を押し下げ、薬剤噴出口（５）を開放して容器内部の薬剤をバルブケース（３）内の連通路（１３）を通して外部噴射口（１４）から放射させることができる。
なお一度発生したガスは密閉されたシリンダ上部室（８）内に充満して該シリンダ上部室（８）内を常に高圧に保つのでピストン（７）は下限位置に保持されて薬剤噴出口（５）を常時開放することになる。
【０００５】
【発明が解決しようとする課題】
ところが上記イニシエーターを用いた起動機構では火薬を取り扱うため危険であり、またイニシエーターやガス発生剤のため装置自体が大きくなり、部品点数も多く構造も複雑であった。このため取り扱いが容易でコンパクトな起動装置が望まれていた。
【０００６】
【課題を解決するための手段】
本発明はこのような問題に鑑み種々検討の結果、これらを改良した起動機構を提案するものである。
即ち本発明の消火装置用起動機構は、外部噴出口と消火薬剤収納容器内とをつなぐ連通路を閉鎖するバルブを有し、さらに該バルブを押圧することにより該連通路を開放させるピストン部材を備えた消火装置用の起動機構において、該ピストンの後方のシリンダ室内に加熱により発熱する非火薬剤を設け、該ピストン内に該ピストンの径方向へ突出するように付勢されたピンを設け、該ピストンがバルブを押圧して連通路を開放した際に突出したピンが係合して、該ピストンの戻りを阻止する段部をシリンダ内壁に設けたことを特徴とするものである。
【０００７】
また本発明の他の起動機構は、外部噴射口と消火薬剤収納容器内とを接続する連通路を内部に有するバルブケースと、該バルブケース内を上下動可能なピストンにより押し下げられた時に該連通路を開放するバルブとからなる消火装置用起動機構において、該ピストン上方のシリンダ上部室内に加熱により発熱する非火薬剤を設置し、該ピストン内に該ピストンの横方向に突出するように付勢されたピンを設け、該ピストンが下降して該バルブを押し下げた際に突出する該ピンが係合して、該ピストンの戻りを阻止する段部をシリンダ内壁に設けたことを特徴とするものである。
そしてこの際非火薬剤をシリンダ上部室を密封するバルブケースの上蓋内に設ける構成としたり、またピストン側面に非貫通の横穴を穿設し、内部にスプリングにより突出するように付勢されたピンを設けたのは有効である。
【０００８】
また本発明の消火装置は、上記消火装置用起動機構を消火薬剤収納容器１台に対して２台以上設けたことを特徴とするものであり、この際該消火薬剤収納容器の口金に、内部通路を有するヘッド部材を設け、該ヘッド部材に上記消火装置用起動機構を２台以上設けてなるものはより効果がある。
【０００９】
【実施例】
以下に本発明の一実施例について説明する。
【００１０】
（実施例１）
図１に示すようにバルブケース（３）内のシリンダ上部室（８）を塞ぐ上蓋（１２’）の下面に面する穴内に樹脂（２０）に埋め込まれたクロム酸バリウム等を用いた非火薬の点火玉（２１）を設置し、該点火玉（２１）を作動するためのニクロム線を該点火玉（２１）と一緒に埋め込み、該ニクロム線に接続する起動用の電線（２２）を外部へ引き出した。
【００１１】
またピストン（７’）の側面に横穴（２３）を穿設し、その内部にピン（２４）及びピン用スプリング（２５）を設置した。そして該ピン（２４）は該スプリング（２５）によりピストン側面から突出するように付勢されている。さらにシリンダ内壁の適宜箇所に段差（２６）を設け、該ピストン（７’）が下降した際にピン（２４）が横方向に突出して該ピストン（７’）が元の位置に戻ろうとするときに該ピン（２４）が該段差（２６）に係合して該ピストン（７’）を下方位置に係止する構造とした。
【００１２】
このような本発明の機構によれば、消火装置の起動前にあってはピストン（７’）はシリンダ室（６）内の上限位置にあってピストン（７’）内のピン（24）は突出しておらずにシリンダ内壁に当接している。そして消火装置の起動の際にはニクロム線により点火玉（２１）を加熱すると該点火玉（２１）は高発熱してシリンダ上部室（８）内の空気を急膨張させるので該ピストン（７’）は下降してピストン（７’）の下面に当接しているバルブ（２）を押し下げ薬剤噴出口（５）を開ける。このとき該ピストン（７’）の横穴（２３）位置はシリンダ内壁の段差（２６）位置を通過するのでピン（２４）がピストン側面から突出する。このため点火玉（21）の発熱が終了してシリンダ上部室（８）内の空気が収縮してバルブ用スプリング（４）によりバルブ（２）が元の閉位置に戻ろうとしても突出したピン（２４）が段差（２６）に係合したままであるので該バルブ（２）は戻らず薬剤噴出口（５）は開放されたままとなり消火薬剤が外部へ放射され続ける。
【００１３】
上記本発明の起動装置によれば、通常の持ち運び可能な手持ち消火器を簡単に簡易的な自動もしくは半自動消火装置とすることができる。
【００１４】
（実施例２）
図２に示すように、消火薬剤収納容器（１）の口金（３０）に長手方向に内部通路（３１）を有する縦長のヘッド部材（３２）を螺着し、該ヘッド部材（３２）の側面の２箇所に、該内部通路（３１）に連通する外部噴射口（１４)(１４’）を取り付けた下記のバルブ収容部材（３３)(３３’）をそれぞれ螺着した。即ち該バルブ収容部材（３３）は内部通路（３１）につながる薬剤噴射口（５）をバルブ（２）で通常は閉鎖しておき、上記実施例１と同様に火災による消火装置の起動信号により点火玉（２１）を急激に発熱して、ピストン（７）を横方向に押しやり、従って該ピストンに当接しているバルブ（２）を押圧移動させる構造である。
【００１５】
そしてこれらバルブ収容部材の外部噴射口（１４)(１４’）は消火の必要な２箇所にそれぞれ別々に配管しておくことにより、同時に２箇所の監視が可能である。従って従来例えば２箇所の監視が必要の場合は、２台の消火薬剤収納容器が必要であったが、本発明によれば１台で済み、設置スペースを小さくでき且つ部品を削減できる。
なお必要によりこのようなバルブ収容部材はヘッド部材に３台以上設けてもよい。
このような構造の自動もしくは半自動消火装置は住宅用としても用いられるが、特に小型化が可能であるため工作機械用等に有利に使用できる。
【００１６】
【発明の効果】
本発明によれば消火装置の自動起動や遠隔起動の可能な起動装置が、火薬を使用しないので安全に取り扱うことができ、また従来のようにバルブを開けた状態に保持するためにガス発生剤によりガスを充満させ、高圧を保っておく構造が必要でなく、機械的に確実な手段でバルブの戻りを防止できるので構造が簡単で部品点数も少ない利点がある。また１台の消火薬剤収納容器で複数の消火箇所が監視できるので消火薬剤収納容器の設置スペースが狭くて済み、しかも通常の小型で安価な消火装置（消火器）であっても簡単にこのような起動装置を１乃至複数設置でき、低コストの消火装置を提供できる。
【図面の簡単な説明】
【図１】本発明の一実施例を示す縦断面図である。
【図２】      本発明の他の実施例を示す一部断面の側面図である。
【図３】従来例を示す縦断面図である。
【符号の説明】
１  消火薬剤収納容器
２  バルブ
３  バルブケース
４  バルブ用スプリング
５  薬剤噴射口
６  シリンダ室
７  ピストン
８  シリンダ上部室
９  イニシエーター受
１０  ガス発生剤
１１  イニシエーター
１２  上蓋
１３  連通路
１４  外部噴射口
２０  樹脂
２１  点火玉
２２  電線
２３  横穴
２４  ピン
２５  ピン用スプリング
２６  段差
３０  口金
３１  内部通路
３２  ヘッド部材
３３  バルブ収容部材
【図１】
0003801684.tif 000002
【図２】
0003801684.tif 000003
【図３】
0003801684.tif 000004